(57)【要約】【課題】本発明は、転写工程をなくしつつ、着色模様を安定して形成し、さらに製造コストを低減することを目的とするものである。【解決手段】金属基材１１上に透明樹脂層１３、インクジェット受理層１５を順次形成した後、インクジェット印刷によりインクジェット受理層１５上から昇華形着色材１４を塗布し、さらに塗布された昇華形着色材１４を加熱により昇華させ光透過性樹脂層１３に入り込ませ、その後、インクジェット受理層１５を除去するようにした。【選択図】図４
2007045159.tif 000002
【特許請求の範囲】
【請求項１】
金属基材上に光透過性樹脂層を形成する工程、
上記光透過性樹脂層の表面にインクジェット受理層を形成する工程、
インクジェット印刷により上記インクジェット受理層上から昇華形着色材を塗布する工程、
塗布された昇華形着色材を加熱により昇華させ上記光透過性樹脂層に入り込ませる工程、及び
上記インクジェット受理層を除去する工程
を含むことを特徴とする金属装飾体の製造方法。
【請求項２】
インクジェット受理層を除去した後、光透過性樹脂層上に残留した昇華形着色材を洗浄する工程をさらに含むことを特徴とする請求項１記載の金属装飾体の製造方法。
【請求項３】
インクジェット受理層の除去は、上記インクジェット受理層を温水で軟化させた後に拭き取ることにより行われることを特徴とする請求項１又は請求項２に記載の金属装飾体の製造方法。
【発明の詳細な説明】
【技術分野】
【０００１】
この発明は、例えばエレベータの乗場ドアやかご室のパネル、建築の内装材などに使用される金属装飾体の製造方法に関するものである。
【背景技術】
【０００２】
図６は従来の金属装飾体の製造方法を示す説明図である。この方法では、まず図６（ａ）に示すように、昇華形トナープリンタ１を用いて、昇華形着色材による着色模様２を転写紙３に印刷することにより、転写形塗装シート４を製造しておく。
【０００３】
一方、図６（ｂ）に示すように、所定のパネル形状に折り曲げ加工された金属基板５の表面に、下地防錆着色塗装を施して下地着色層６を形成する。この下地着色層６の乾燥後、図６（ｃ）に示すように上塗透明塗装を施し、下地着色層６上に透明樹脂層７を形成する。この後、図６（ｄ）に示すように、透明樹脂層７上に転写形塗装シート４を重ね合わせる。そして、図６（ｅ）に示すように、水平面及び垂直面の加熱加圧ローラ８，９を用いて、転写形塗装シート４を適当な温度，圧力で加熱・加圧する。これにより、転写形塗装シート４上の昇華形カラートナーが昇華して透明樹脂層７の内部に入り込み、透明樹脂層７に着色模様２が転写形成される。最後に、図６（ｆ）に示すように、転写紙３を剥がすと、金属装飾体が出来上がる（例えば、特許文献１参照）。
【０００４】
【特許文献１】特開平６−３２０６６５号公報
【発明の開示】
【発明が解決しようとする課題】
【０００５】
上記のような従来の金属装飾体の製造方法においては、解像度の高い複雑な着色模様２を形成することができるものの、転写形塗装シート４を印刷する工程及び転写工程が必要であるため、製造に手間がかかり、コストが高くなってしまう。また、単一色を広い面積に着色する場合、装飾板の構造や形状の違いにより、転写時に色むらが発生する可能性が高い。さらに、球面や凹面への転写が困難であるなどの問題点があった。また、転写形塗装シート４及び金属基板５の線膨張係数が互いに異なっているとともに、転写形塗装シート４の寸法が吸水・乾燥により変化し易く、安定した生産が難しいという問題点もあった。
【０００６】
この発明は、上記のような課題を解決するためになされたものであり、転写工程を必要とせず、着色模様を安定して形成することができるとともに、製造コストを低減することができる金属装飾体の製造方法を得ることを目的とする。
【課題を解決するための手段】
【０００７】
この発明に係る金属装飾体の製造方法は、金属基材上に光透過性樹脂層を形成する工程、光透過性樹脂層の表面にインクジェット受理層を形成する工程、インクジェット印刷によりインクジェット受理層上から昇華形着色材を塗布する工程、及び塗布された昇華形着色材を加熱により昇華させ光透過性樹脂層に入り込ませる工程、インクジェット受理層を除去する工程を含むものである。
【発明の効果】
【０００８】
この発明の金属装飾体の製造方法は、金属基材上に光透過性樹脂層、インクジェット受理層を順次形成した後、インクジェット印刷によりインクジェット受理層上から昇華形着色材を塗布し、さらに塗布された昇華形着色材を加熱により昇華させ光透過性樹脂層に入り込ませ、その後、インクジェット受理層を除去するようにしたので、転写工程を必要とせず、着色模様を安定して形成することができるとともに、製造コストを低減することができる。
また、インクジェット受理層を除去した後、光透過性樹脂層上に残留した昇華形着色材を洗浄するようにしたので、仕上がり面を清浄にすることができる。
さらに、インクジェット受理層を温水で軟化させた後に拭き取ることにより、インクジェット受理層の除去を行うようにしたので、インクジェット受理層を容易に除去することができる。
【発明を実施するための最良の形態】
【０００９】
以下、この発明を実施するための最良の形態について、図面を参照して説明する。
図１はこの発明の実施の形態の一例による方法で製造された金属装飾体の断面図である。図において、平板状の金属基材１１の両面には、防錆層を兼ねる下地着色層１２が形成されている。金属基材１１の表面側の下地着色層１２上には、光透過性樹脂層としての透明樹脂層１３が形成されている。この透明樹脂層１３には、昇華形着色材１４が入り込んで着色模様が形成されている。
【００１０】
次に、製造方法について説明する。まず、金属基材１１の両面に下地塗装を施し下地着色層１２を形成する。次に、図２に示すように、金属基材１１の表面側の下地着色層１２上に透明樹脂からなる塗料を塗布し、透明樹脂層１３を形成する。この透明樹脂層１３の材料としては、例えばアクリル系樹脂，ポリエステル系樹脂，ウレタン系樹脂などが使用される。
【００１１】
この後、図３に示すように、透明樹脂層１３上に透明なインクジェット受理層１５が形成される。このインクジェット受理層１５としては、例えば非球状のアルミナ微粒子が配向されており、多数の直線的な細孔が形成されている多孔質アルミナを用いた高画質記録媒体等が使用される。
【００１２】
この後、図４に示すように、昇華形着色材１４を用いたインクジェット印刷によりインクジェット受理層１５に着色模様が形成される。このとき、使用されるインクジェットプリンタのヘッド２１には、複数色（ここではマゼンタ，シアン，イエロー，ブラックの４色）の昇華形着色材１４を噴射するノズル２２ａ〜２２ｄが搭載されている。ヘッド２１の駆動及び昇華形着色材１４の噴射は、コンピュータ（図示せず）により制御されている。噴射された昇華形着色材１４は、多孔質のインクジェット受理層１５の内部まで浸透する。
【００１３】
この後、昇華形着色材１４を加熱し、昇華させる。加熱方法としては、加熱炉に入れる方法やホットプレスを用いる方法などがある。この加熱により、昇華形着色材１４は、図５に示すように、全てではないが、透明樹脂層１３内に入り込む。従って、インクジェット受理層１５に対して印刷された着色模様が透明樹脂層１３に形成されることになる。
【００１４】
次に、インクジェット受理層１５を温水で軟化させた後、布等で拭き取ることにより、インクジェット受理層１５を全て取り除く。さらに、必要に応じて、透明樹脂層１３上の昇華形着色材１４の残留物を、ガソリン等の溶剤を用いて洗浄する。これにより、昇華形着色材１４による着色模様が形成された金属装飾体が完成する。
【００１５】
このような方法によれば、転写工程を必要とせず、昇華形着色材１４を容易に昇華させ着色することができるので、製造コストを低減することができる。また、単一色を広い面積に塗布する場合にも、色むらが生じにくく、さらに球面や凹面への着色も可能である。
【００１６】
なお、上記の例では光透過性樹脂層として透明樹脂層１３を示したが、半透明のものや着色透明のものであってもよい。
また、下地着色層を省略して金属基材１１上に透明樹脂層１３を直接形成してもよい。
さらに、金属基材の形状は平板状でなくてもよい。
【図面の簡単な説明】
【００１７】
【図１】この発明の実施の形態の一例による方法で製造された金属装飾体の断面図である。
【図２】図１の金属装飾体の製造途中の状態を示す断面図である。
【図３】図２の後段の状態を示す断面図である。
【図４】図３の後段の状態を示す断面図である。
【図５】図４の後段の状態を示す断面図である。
【図６】従来の金属装飾体の製造方法の一例を示す説明図である。
【符号の説明】
【００１８】
１１  金属基材、１３  透明樹脂層（光透過性樹脂層）、１４  昇華形着色材、１５  インクジェット受理層。
【図１】
2007045159.tif 000003
【図２】
2007045159.tif 000004
【図３】
2007045159.tif 000005
【図４】
2007045159.tif 000006
【図５】
2007045159.tif 000007
【図６】
2007045159.tif 000008
【手続補正書】
【提出日】平成18年10月20日(2006.10.20)
【手続補正１】
【補正対象書類名】特許請求の範囲
【補正対象項目名】全文
【補正方法】変更
【補正の内容】
【特許請求の範囲】
【請求項１】
基板上表面に樹脂層を有し、該樹脂層上にインクジェット受理層を設け、該インクジェット受理層に、昇華形着色材を含有するインクを用いてインクジェット方式によりカラー印刷する工程と、該インクジェット受理層を加熱することにより昇華形着色材を前記樹脂層に移行させる工程と、該インクジェット受理層を剥離する工程と、
を有することを特徴とする昇華着色方法。
【請求項２】
インクジェット受理層を除去した後、樹脂層上に残留した昇華形着色材を洗浄する工程をさらに含むことを特徴とする請求項１記載の昇華着色方法。
【請求項３】
インクジェット受理層の除去は、該インクジェット受理層を温水で軟化させた後に拭き取ることにより行われることを特徴とする請求項１又は請求項２に記載の昇華着色方法。
【手続補正３】
【補正対象書類名】明細書
【補正対象項目名】０００１
【補正方法】変更
【補正の内容】
【０００１】
この発明は、例えばエレベータの乗場ドアやかご室のパネル、建築の内装材などの製造に使用される昇華着色方法に関するものである。
【手続補正４】
【補正対象書類名】明細書
【補正対象項目名】０００６
【補正方法】変更
【補正の内容】
【０００６】
この発明は、上記のような課題を解決するためになされたものであり、転写工程を必要とせず、着色模様を安定して形成することができるとともに、製造コストを低減することができる昇華着色方法を得ることを目的とする。
【手続補正５】
【補正対象書類名】明細書
【補正対象項目名】０００７
【補正方法】変更
【補正の内容】
【０００７】
この発明に係る昇華着色方法は、基板上表面に樹脂層を有し、該樹脂層上にインクジェット受理層を設け、該インクジェット受理層に、昇華形着色材を含有するインクを用いてインクジェット方式によりカラー印刷する工程と、該インクジェット受理層を加熱することにより昇華形着色材を前記樹脂層に移行させる工程と、該インクジェット受理層を剥離する工程とを有するものである。
【手続補正６】
【補正対象書類名】明細書
【補正対象項目名】０００８
【補正方法】変更
【補正の内容】
【０００８】
この発明の昇華着色方法は、基板上に樹脂層、インクジェット受理層を順次形成した後、インクジェット方式によりカラー印刷を行い、さらにインクジェット受理層を加熱することにより昇華形着色材を樹脂層に移行させ、その後、インクジェット受理層を剥離するようにしたので、転写工程を必要とせず、着色模様を安定して形成することができるとともに、製造コストを低減することができる。
また、インクジェット受理層を除去した後、樹脂層上に残留した昇華形着色材を洗浄するようにしたので、仕上がり面を清浄にすることができる。
さらに、インクジェット受理層を温水で軟化させた後に拭き取ることにより、インクジェット受理層の除去を行うようにしたので、インクジェット受理層を容易に除去することができる。